【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
トランス中性点を流れる高直流電流を含む潜在的に有害な電磁信号と、主要な電力周波数の高調波とを検知する検知システムであって、
前記検知システムは、
送電網上の１つ以上の接続ポイントと接続した１つ以上の電気信号線に電気的に接続された複数の検知部品と、
それぞれの閾値検知部が、前記複数の検知部品から選ばれた１つの検知部品から入ってくる信号を、閾値を有する所定の信号と比較する、複数の閾値検知部と、
前記複数の閾値検知部のそれぞれからの出力を受信する制御部であって、検知した閾値を超える高調波信号または直流電流信号からなる指示を前記複数の閾値検知部のうちの少なくとも１つから受信することにより、少なくとも１つの外部部品を駆動するように構成された制御部と、
少なくとも前記複数の閾値検知部および前記制御部を収納する内体積部を有すると共に前記内体積部を電磁干渉からシールドするように構成されているシールド筐体
を有することを特徴とする検知システム。
【請求項２】
前記複数の検知部品は、
高調波アナライザと、
前記トランス中性点とアースの間に電気的に接続された分路抵抗と、
前記トランス中性点とアースの間に接続された接地線に接続されたホール効果電流センサと、
電磁界検知器と、
から構成される検知器のグループから選択される
ことを特徴とする請求項１に記載の検知システム。
【請求項３】
前記シールド筐体の周囲に配置され、前記シールド筐体の外部から前記内体積部まで延びている前記電気信号線に接続され、高周波数で高電力の電磁信号が前記シールド筐体に入ってくるのを防ぐ複数のフィルタと、をさらに備える
ことを特徴とする請求項２に記載の検知システム。
【請求項４】
前記高調波アナライザは、前記シールド筐体内に配置されている
ことを特徴とする請求項３に記載の検知システム。
【請求項５】
前記分路抵抗は、前記シールド筐体の外部に配置されている
ことを特徴とする請求項４に記載の検知システム。
【請求項６】
前記ホール効果電流センサは、前記シールド筐体の外部に配置されている
ことを特徴とする請求項５に記載の検知システム。
【請求項７】
前記電磁界検知器は、前記シールド筐体の外部に配置されている
ことを特徴とする請求項６に記載の検知システム。
【請求項８】
前記制御部は、前記トランス中性点と接地接続の間に接続されたノーマルクローズスイッチを開くように構成された
ことを特徴とする請求項１に記載の検知システム。
【請求項９】
前記制御部は、前記複数の閾値検知部のいずれかから、閾値を超える高調波信号または直流電流信号が前記トランス中性点上で検知されたことを示す信号を受けると、ノーマルクローズスイッチを開くように構成された
ことを特徴とする請求項１に記載の検知システム。
【請求項１０】
前記複数の閾値検知部の少なくとも１つから受信した前記指示は、その閾値検知部に関連付けられた閾値を超える検知した高調波信号、直流電流信号、または、電磁パルス信号を表す
ことを特徴とする請求項１に記載の検知システム。
【請求項１１】
前記閾値検知部それぞれは、異なる関連付け閾値を有している
ことを特徴とする請求項１０に記載の検知システム。
【請求項１２】
前記異なる関連付け閾値それぞれは、調整可能である
ことを特徴とする請求項１１に記載の検知システム。
【請求項１３】
前記制御部に電気的に接続され、前記シールド筐体から離れた検知システムのオペレータから指示を受ける制御入力部を、さらに有する
ことを特徴とする請求項１に記載の検知システム。
【請求項１４】
前記制御部は、品質を下げる有害なイベントにおいて想定通りに前記検知システムが動作することを確認するように構成された１つ以上の自己テスト手順を実行するように構成された
ことを特徴とする請求項１に記載の検知システム。
【請求項１５】
前記１つ以上の自己テスト手順は、
前記トランスにおいて、電力システム周波数とは異なる周波数を有する交流信号を印加すること、
高調波アナライザにおける高調波アナライザに付随する閾値検知部によって定義され振幅の範囲を定める所定の閾値を超える振幅を有する高調波信号を印加すること、
直流電圧信号を前記トランス中性点に印加し、前記トランス中性点を流れる直流電流をシミュレーションすること、
閾値検知部によって定義され振幅の範囲を定める所定の閾値を超える振幅を有する電磁気検知器信号を印加すること
から構成される手順のグループから選択される
ことを特徴とする請求項１４に記載の検知システム。
【請求項１６】
トランス中性点における有害または品質低下のイベントまたは信号を検知するための検知システム内で実施可能な自己テスト方法であって、
前記検知システムは、
トランスにおいて電力システム周波数とは異なる周波数を有する交流電流信号を印加し、
前記交流電流信号の既知の振幅と直流電流ブロッキング部品による電流測定値に基づいて、直流電流ブロッキング部品のブロッキング特性の機能と大きさを測定し、
前記直流電流ブロッキング部品のブロッキング特性の大きさを予測値と比較して、前記直流電流ブロッキング部品の正確な動作を決定し、
高調波アナライザに付随する閾値検知部によって定義され振幅の範囲を定める所定の閾値を超える振幅を有する高調波信号を電力線信号に印加し、
前記高調波アナライザにおける前記高調波信号を分析して、前記高調波アナライザが前記高調波信号の存在を検知したかどうかを判定し、
直流電圧信号を前記トランス中性点に印加して、前記トランス中性点とアースの間に流れている直流電流をシミュレーションし、
閾値検知部によって定義され振幅の範囲を定める所定の閾値を超える振幅を有する電磁気検知器信号を印加する
ことを特徴とする自己テスト方法。
【請求項１７】
さらに、前記交流電流信号、前記高調波信号、前記直流電圧信号、および、前記電磁気検知器信号のうちの１つ以上の検知に応じて、制御部において制御信号を生成する
ことを特徴とする請求項１６に記載の自己テスト方法。
【手続補正２】
【補正対象書類名】明細書
【補正対象項目名】発明の名称
【補正方法】変更
【補正の内容】
【発明の名称】検知システムおよび自己テスト方法
【手続補正３】
【補正対象書類名】明細書
【補正対象項目名】００１１
【補正方法】変更
【補正の内容】
【００１１】
第１の実施形態では、電気防護回路を有する検知制御システムが、開示される。システムは、複数の検知部品を含む。複数の検知部品は、トランス電力線やＥＭＰとＩＥＭＩの環境イベントにおける有害な高調波と直流電流や準直流電流を検知する。これらの検知部品は、高調波アナライザ、トランス中性点とアースの間に電気的に接続された分路抵抗、トランス中性点とアースの間に電気的に接続されたホール効果電流センサ、および、シールド筐体に対して外部に配置される電磁界検知器を含むが、それらに限定されない。そのシステムは、さらに、複数の閾値検知部を含む。複数の閾値検知部は、検知部品からの信号を、調整可能な所定の信号と比較する。そして、閾値検知部は、検知部品からの信号が所定の信号値を上回るとき、制御部（コントローラ）に信号指示を出力する。制御部は、また、シールド筐体内に配置され、複数の閾値検知部の少なくとも１台から信号指示を受け取ると、外部防護回路内でノーマルクローズスイッチ（通常閉じているスイッチ）を開く。制御部は、さらに、制御入力部を含む。制御入力部は、シールド筐体から離れた電力システム・オペレータから指示を受ける。制御部は、さらに、１つ以上の自己テスト手順を実行する。自己テスト手順では、潜在的に有害な信号をシミュレーションし、システムが正常に機能しているかどうかを判定する。いくつかの実施形態において、制御部は、シールド筐体（例えば、制御システム）から離れた電力システム・オペレータからの信号の受信に応じて、ノーマルクローズスイッチを開く。システムは、電気的部品を電磁パルス（ＥＭＰ）やＩＥＭＩから保護するように構成されたシールド筐体を含んでいてもよい。そのようなオプションの構成では、フィルタはシールド筐体の内部の周囲に沿って配置される。そして、フィルタは、高周波で強力な電磁気の信号がシールド筐体内に入って潜在的に電気的部品に損害を与えるのを防ぐ。
【手続補正４】
【補正対象書類名】明細書
【補正対象項目名】００１４
【補正方法】変更
【補正の内容】
【００１４】
さらなる実施形態では、検知制御システムを自己テストする方法が開示される。その方法は、トランスにおいて電力システム周波数とは異なる周波数を有する交流信号を印加すること、交流テスト信号の既知の振幅と直流電流ブロッキング部品による電流測定値に基づいて、直流電流ブロッキング部品のブロッキング特性（例えば、インピーダンス）の機能と大きさを測定すること、を含む。その方法は、さらに、直流電流ブロッキング部品のブロッキング特性の大きさを予測値と比較して、直流電流ブロッキング部品の正確な動作を決定することを含む。その方法は、さらに、高調波のテスト信号を電力線信号に印加することを含む。そして、高調波信号は、高調波アナライザに付随する閾値検知部によって定義された所定の閾値を超える振幅を有する。そして、閾値は振幅の範囲を定める。その方法は、さらに、高調波アナライザにおける高調波のテスト信号を分析し、高調波アナライザが高調波のテスト信号の存在を検知したかどうかを判定することを含む。その方法は、また、直流電圧信号をトランス中性点に印加し、トランス中性点とアースの間に流れている直流電流をシミュレーションすること、電磁気の検知器（ＥＭ）信号を印加すること、を含む。ＥＭ信号は、閾値検知部によって定義された所定の閾値を超える振幅を有する。閾値は、振幅の範囲を定める。